(57)【要約】【課題】設置及び組立が容易であり台輪内部を収容空間として利用可能な組立式キャビネット及びその組立方法の提供。【解決手段】平面視長方形の枠状に配設された背面板４１、右側面板、左側面板、前面中央板、前面板の内側において間口方向に互いに隙間をおいて平行に架設された一対の板状の横架材５１，５２、及び横架材５１，５２の下側に着設されており、板を立てた向きで前面中央板と背面板４１との間に奥行方向に架設され、横架材５１，５２の中間部を支持する梁部材を備える台輪２と、横架材５１，５２の隙間に嵌挿される前側ガイド用突出部が底面に設けられた直方体状を呈する機器用ボックス、一対の小収納ボックス、大収納ボックス１４、及びもう１個の大収納ボックスとを具備する。【選択図】図５
2010104610.tif 000002
【特許請求の範囲】
【請求項１】
前面板、背面板、及び一対の側面板によって四辺が構成されており、奥行方向よりも間口方向に長い平面視長方形の枠状を呈し、前記前面板の一部または全部が開閉自在に構成されている外枠、
該外枠の高さ寸法よりも厚みが小さな長方形の板材であり、上面が前記外枠の上面と一致する高さで、前記外枠の左右の側面板の間に、前記外枠の背面板に平行に所定の間隔をおいて架設された一対の横架材、
及び奥行方向に延び、少なくとも前記背面板に取着され前記横架材の底面を支持する梁部材
を備え、前記横架材の底面と設置面との間に収容空間を有する台輪と、
奥行寸法が前記外枠よりも大きな直方体状を呈し、前記一対の横架材の間に嵌挿可能であり、かつ突出量が前記横架材の高さ寸法以下であるガイド用突出部が底面に設けられ、前記台輪上で前記横架材に沿って前記間口方向に摺動可能に載置される複数の収納ボックスからなり、該複数の収納ボックスを前記間口方向に一列に並べて構成される収納部と
を具備することを特徴とする組立式キャビネット。
【請求項２】
前記収納ボックスの後底面には切欠孔が穿設されており、前記横架材は、前記背面板との間に隙間を介して配設されていることを特徴とする請求項１に記載の組立式キャビネット。
【請求項３】
前面板、背面板、及び一対の側面板によって四辺が構成されており、奥行方向よりも間口方向に長い平面視長方形の枠状を呈し、前記前面板の一部または全部が開閉自在に構成されている外枠、
該外枠の高さ寸法よりも厚みが小さな長方形の板材であり、上面が前記外枠の上面と一致する高さで、前記外枠の左右の側面板の間に、前記外枠の背面板に平行に所定の間隔をおいて架設された一対の横架材、
及び奥行方向に延び、少なくとも前記背面板に取着され前記横架材の底面を支持する梁部材
を備え、前記横架材の底面と設置面との間に収容空間を有する台輪と、
奥行寸法が前記外枠よりも大きな直方体状を呈し、前記一対の横架材の間に嵌挿可能であり、かつ突出量が前記横架材の高さ寸法以下であるガイド用突出部が底面に設けられた複数の収納ボックスと
を備えてなる組立式キャビネットの組立方法であって、
該複数の収納ボックスの内、最初に組み付ける収納ボックスを、前記ガイド用突出部を前記一対の横架材の隙間に嵌合させて前記台輪上に載せ、当該収納ボックスを間口方向に摺動させ、前記外枠の前記側面板に前記ガイド用突出部を当接させて位置決めする基準ボックス位置決め工程と、
前記複数の収納ボックスの残りの収納ボックスを前記台輪上に順番に載置し、前記最初の収納ボックス側へと前記間口方向に摺動させて隙間なく並べて位置決めする収納ボックス配置工程と、
位置決めされた前記複数の収納ボックスを夫々前記台輪に固定する収納ボックス固定工程と
を有することを特徴とする組立式キャビネットの組立方法。
【発明の詳細な説明】
【技術分野】
【０００１】
本発明は、台輪の上にボックスを配置して構成される組立式キャビネット及びその組立方法に関するものである。
【背景技術】
【０００２】
従来、台輪上にユニット状の収納ボックスを載置して構成された組立式キャビネットがある（例えば、特許文献１を参照）。特許文献１の組立式キャビネットは、枠状の台輪は上面が一様な高さとなっており、その上に複数の収納ボックスを載置し、天板を取り付けて構成されていた。
【０００３】
また、従来、台輪の外枠の間で間口方向及び奥行方向のいずれか、または両方に板状の補強部材を架設して外枠の強度を増したり、上部に載置される収納ボックスの荷重を受けることができるようにしたものが知られている。例えば、図８に例示する従来の台輪１０２は、間口方向に向けて延びる補強部材１５１，１５２が外枠１４７の内側に架設されている。間口方向の補強部材１５１，１５２は長尺であり、上方から荷重を受けたときの反りの発生を抑制するために、板を立てた向きで架設されていた。さらに、間口方向の補強部材１５１，１５２に加えて奥行方向にも補強部材１５３〜１５６が架設されており、奥行方向の補強部材１５３〜１５６は、いずれも間口方向の補強部材１５１，１５２の上側に板を寝かせた向きで配設されていた。奥行方向の補強部材１５３〜１５６は、収納ボックスを上側に載置しやすくするために平面的に配設されており、間口方向の補強部材１５１，１５２は、収納ボックスの荷重を受ける奥行方向の補強部材１５３〜１５６を支持するものであった。
【０００４】
【特許文献１】特公平６−８７８１５号公報
【発明の開示】
【発明が解決しようとする課題】
【０００５】
しかし、従来の組立式キャビネットは、複数の収納ボックスを台輪１０２に取り付けるときに夫々に位置決めが必要であり、組立作業が面倒であった。収納ボックスは台輪１０２に対して木ネジ等で固定されるが、固定の際には、間口方向の位置及び奥行方向の位置を合わせ、さら収納ボックスの向きが台輪１０２と合うように細かな調整が必要とされていた。そして、組立式キャビネットを構成するための収納ボックスは複数あり、全ての部材を正確に組み付ける作業には長い作業時間が必要とされ、その作業者には作業に対する熟練が要求されていた。
【０００６】
また、従来の台輪１０２のように補強部材１５１，１５２が間口方向に配設されていて台輪１０２の内部が仕切られていると、台輪１０２の内部の空間を利用しづらかった。例えば、一般に機器類に接続する配線や配管は機器類の背面側に接続されるが、台輪１０２の補強部材１５２よりも奥のスペースに配管や配線を配設すると、機器類のメンテナンスや取換えを行うときには、収納ボックスを外したり台輪１０２ごと移動したりする必要があり作業が困難であった。
【０００７】
そこで、本発明は、上記の実状に鑑み、設置及び組立が容易であって台輪内部を収容空間として利用しやすい組立式キャビネット及びその組立方法の提供を課題とするものである。
【課題を解決するための手段】
【０００８】
本発明の組立式キャビネットは、「前面板、背面板、及び一対の側面板によって四辺が構成されており、奥行方向よりも間口方向に長い平面視長方形の枠状を呈し、前記前面板の一部または全部が開閉自在に構成されている外枠、該外枠の高さ寸法よりも厚みが小さな長方形の板材であり、上面が前記外枠の上面と一致する高さで、前記外枠の左右の側面板の間に、前記外枠の背面板に平行に所定の間隔をおいて架設された一対の横架材、及び奥行方向に延び、少なくとも前記背面板に取着され前記横架材の底面を支持する梁部材を備え、前記横架材の底面と設置面との間に収容空間を有する台輪と、奥行寸法が前記外枠よりも大きな直方体状を呈し、前記一対の横架材の間に嵌挿可能であり、かつ突出量が前記横架材の高さ寸法以下であるガイド用突出部が底面に設けられ、前記台輪上で前記横架材に沿って前記間口方向に摺動可能に載置される複数の収納ボックスからなり、該複数の収納ボックスを前記間口方向に一列に並べて構成される収納部とを具備する」ことを特徴とするものである。
【０００９】
ここで、「平面視長方形の枠状」とは、正投影図として平面図を描いた場合に中央部の空いた長方形の輪郭を呈する形状を示す。「平面視長方形の枠状」を呈するものとしては、例えば、四辺を長方形の板材で構成された枠体を挙げることができる。
【００１０】
「設置面」とは、床面等、本発明の組立式キャビネットが載置される面を示す。
【００１１】
「収納ボックス」とは、内部に収納空間を有する箱状の部材を示すものであり、前面が開放されているもの、前面に扉が設けられているもの、引出しを備えるものなど、各種の形態とすることができる。
【００１２】
本発明によれば、収納ボックスの底面に設けられたガイド用突出部が、台輪に架設された一対の横架材の隙間に嵌挿されるので、収納ボックスの前後方向の位置決めを容易にすることができる。さらに、収納ボックスは、ガイド用突出部が一対の横架材の間に嵌挿されており、横架材の端面に沿って収納ボックスが間口方向に摺動可能となる。これにより、台輪上に一旦載置した収納ボックスを所定の位置まで摺動させて間口方向の位置決めをすることができる。台輪上に最初に載置した収納ボックスを、ガイド用突出部が台輪の側面板に当接するまで摺動させて位置決めした後に、残りの収納ボックスを順に台輪上で摺動させ、先に位置決めした収納ボックスに揃えて位置決めすることで、複数の収納ボックスを簡単かつ手早く正確な位置に配設することができ、組立式キャビネットを容易に組み立てることが可能となる。
【００１３】
さらに、本発明によれば、台輪上で間口方向に摺動させて収納ボックスの位置を変えることができ、収納ボックスの配設位置が限定されないため、複数の収納ボックスの順番を変えて配置することができる。例えば、２個の木製扉付ボックスと、１個のガラス扉付ボックスとを組み合わせる場合に、中央にガラス扉付ボックスが位置し、その左右に木製扉付ボックスが位置するように配設することができるし、２個の木製扉付ボックスを隣接させて並べて、さらにその横にガラス扉付ボックスを配設することもできる。
【００１４】
また、本発明によれば、外枠の側面板の間に、梁部材によって底面を支持された横架材が間口方向に２本架設されており、外枠の側面板、背面板及び横架材によって収納ボックスの重量を受けている。横架材は、梁部材によって支えられており、収納ボックスの荷重による横架材の反りなどの変形を抑制することができる。
【００１５】
さらに、本発明によれば、横架材は構造材であるだけでなく、誘導レールとしての機能を兼ねるため、収納ボックスを間口方向に誘導するためにレール状の部材を設けずとも収納ボックスを間口方向に摺動可能とし、台輪の構成を簡素化することができる。また、梁部材は横架材の下側にあって横架材の底面に接しており、ガイド用突出部の突出量は前記横架材の高さ寸法以下であるので、収納ボックスを誘導する際に梁部材とガイド用突出部とが干渉することなく収納ボックスを摺動可能とすることができる。
【００１６】
また、本発明によれば、横架材は横架材の上面が台輪の外枠の上面と一致する高さに架設されており、横架材の厚みは外枠の高さ寸法よりも小さいので、横架材の下方に空間的な余地があり、横架材によって台輪内の空間が奥行方向において区切られないようにすることができる。また、梁部材は奥行方向に延びるため、台輪内の空間に対して前方から到達する際に障害となる虞を抑制することができる。これにより、横架材の架設によって台輪の強度を高めながら、台輪内のスペースを収容空間として利用可能とすることができる。例えば、収納ボックス内にアンプやチューナー等の電気機器を設置すると、電源ケーブルやアンテナ用等の各種の信号線を組立式キャビネットの外部にある電源コンセントから電気機器の設置位置まで取り回す必要があるが、本発明によれば、台輪内にこれらの電気配線を通すことができる。台輪内の収容空間は、配管を通すことも可能であるし、物入れとすることも可能である。
【００１７】
また、本発明によれば、前面板の一部または全部が開閉自在に構成されているので、組立式キャビネットを設置した状態で前面板を開けて内部の収容空間を利用することができる。
【００１８】
また、本発明の組立式キャビネットは、「前記収納ボックスの後底面には切欠孔が穿設されており、前記横架材は、前記背面板との間に隙間を介して配設されている」構成とすることもできる。
【００１９】
本構成によれば、背面板と横架材との隙間及び切欠孔を通して収納ボックスから台輪内部へと配線や配管を引き込んで配設することができ、台輪内部における配線や配管の取り回しには、台輪の前面板を開放して作業することができる。これにより、収納ボックス内に設置した機器類から台輪を経由して配線または配管を行う作業を容易にすることができる。特に、組立式キャビネットを設置した後に機器類を設置する場合には、組立式キャビネットを設置した状態で前方から配線や配管に関する作業が可能であるので、台輪ごと全体的に移動したり、収納ボックスを取り外したりする必要がなく、少人数で短時間に機器類の設置作業を行うことができる。
【００２０】
また、本発明の組立式キャビネットの組立方法は、「前面板、背面板、及び一対の側面板によって四辺が構成されており、奥行方向よりも間口方向に長い平面視長方形の枠状を呈し、前記前面板の一部または全部が開閉自在に構成されている外枠、該外枠の高さ寸法よりも厚みが小さな長方形の板材であり、上面が前記外枠の上面と一致する高さで、前記外枠の左右の側面板の間に、前記外枠の背面板に平行に所定の間隔をおいて架設された一対の横架材、及び奥行方向に延び、少なくとも前記背面板に取着され前記横架材の底面を支持する梁部材を備え、前記横架材の底面と設置面との間に収容空間を有する台輪と、奥行寸法が前記外枠よりも大きな直方体状を呈し、前記一対の横架材の間に嵌挿可能であり、かつ突出量が前記横架材の高さ寸法以下であるガイド用突出部が底面に設けられた複数の収納ボックスとを備えてなる組立式キャビネットの組立方法であって、該複数の収納ボックスの内、最初に組み付ける収納ボックスを、前記ガイド用突出部を前記一対の横架材の隙間に嵌合させて前記台輪上に載せ、当該収納ボックスを間口方向に摺動させ、前記外枠の前記側面板に前記ガイド用突出部を当接させて位置決めする基準ボックス位置決め工程と、前記複数の収納ボックスの残りの収納ボックスを前記台輪上に順番に載置し、前記最初の収納ボックス側へと前記間口方向に摺動させて隙間なく並べて位置決めする収納ボックス配置工程と、位置決めされた前記複数の収納ボックスを夫々前記台輪に固定する収納ボックス固定工程とを有する」ことを特徴とするものである。
【００２１】
本発明の組立式キャビネットの組立方法によれば、まず、基準ボックス位置決め工程において、最初に端に配設される収納ボックスが、ガイド用突出部が一対の横架材の隙間に嵌挿されて台輪上に載置される。このとき、ガイド用突出部は一対の横架材の隙間に嵌挿されるので、最初の収納ボックスの奥行方向の位置決めをすることができる。そして、最初の収納ボックスを配設予定である所定の位置まで間口方向に摺動させて位置合わせを行う。すなわち、最初の収納ボックスが所定の位置に到達すると、ガイド用突出部が台輪の側面板の内面側に当接して移動が制約される。すなわち、台輪上で最初の収納ボックスを摺動させると所定の位置に到達したところでガイド用突出部が側面板に当接して停止するので正確に位置決めすることができる。
【００２２】
基準ボックス位置決め工程により、台輪上の端に位置する最初の収納ボックスが位置決めされた後、収納ボックス配置工程において、まだ配設されていない収納ボックスは、順番に台輪上に載置され、先に位置決めされた最初の収納ボックスの側に向けて摺動させられ、最初の収納ボックスに当接させられて位置決めされる。そして、収納ボックスが同じ要領で順番に配設され、全ての収納ボックスが所定の位置に配設される。これにより、収納ボックスを順番に台輪上に載置して摺動させてゆくだけで位置決めができるので、組立式キャビネットを容易に組み立てることが可能となる。
【００２３】
基準ボックス位置決め工程及び収納ボックス配置工程によって全ての収納ボックスの位置決めが完了した後、収納ボックス固定工程において、夫々の収納ボックスを台輪に対して固定する。収納ボックスを台輪に固定する際には、夫々の収納ボックスのガイド用突出部は横架材の隙間に嵌挿されており、かつ夫々の収納ボックス本体は隣接する収納ボックスまたは台輪の側面板に当接しているので、固定作業中に収納ボックスの位置をずれにくくすることができる。
【００２４】
このように、本発明の組立式キャビネットの組立方法によれば、収納ボックスを順に台輪上で摺動させて正確に位置決めし所定の位置に固定するまでの工程を１〜２人の少人数でも行うことができる。
【００２５】
さらに、本発明の組立式キャビネットの組立方法によれば、複数の収納ボックスの配設位置及び配設順序は、特定の位置や順序に限定されないため、収納ボックスの配設順序を変えることで配設位置を変更することができる。例えば、２個の木製扉付ボックスと、１個のガラス扉付ボックスとを組み合わせる場合に、中央にガラス扉付ボックスが位置し、その左右に木製扉付ボックスが位置するように配設することができるし、２個の木製扉付ボックスを隣接させて並べて、さらにその横にガラス扉付ボックスを配設するようにすることもできる。
【発明の効果】
【００２６】
このように、本発明によれば、台輪の間口方向に架設された一対の横架材の間にガイド用突出部が嵌挿され、複数の収納ボックスを台輪上で間口方向に摺動させて位置決めができるので、簡素な構造でありながら設置及び組立を容易にすることができる。また、横架材の下方の梁部材で横架材の底面を支持するため、横架材の変形を抑制するとともに、梁部材と収納ボックスとが干渉することなく収納ボックスを摺動可能とすることができる。さらに、横架材の下方に収容空間があって、前面板が開放可能であるので台輪内の空間の利便性を高めることができる。
【発明を実施するための最良の形態】
【００２７】
以下、本発明の一実施形態である組立式キャビネット１の構成について、図１乃至図４に基き説明する。図１は、本発明の一実施形態である組立式キャビネットを示す斜視図であり、図２は、組立式キャビネットの構成を示す分解斜視図であり、図３は、組立式キャビネットの台輪の構成を示す斜視図であり、図４は、組立式キャビネットの収納ボックスの構成を斜め下方から示す斜視図である。
【００２８】
以下、図１及び図２に基き組立式キャビネット１の構成について詳細に説明する。組立式キャビネット１は、高さ方向及び奥行方向と比較して間口方向に長い形状を呈しており、収納部３が台輪２の上に設置され、収納部３の上に天板４が装着されて構成されている。
【００２９】
台輪２は、間口方向に細長い枠状を呈する。天板４は、やはり間口方向に細長い平面視略長方形の１枚の板状を呈する部材であり、収納部３の上に装着されると上部に様々なものを載置して利用できる水平な棚面として機能する。収納部３は、機器用ボックス１１、小収納ボックス１２，１３、大収納ボックス１４，１５の５個のユニット化された収納ボックスが組み合わせられて構成されており、台輪２の上に固定されている。各収納ボックスの前面には開閉可能な扉が備えられており、収納ボックスの内部は収納空間として利用可能である。天板４の中央部の奥側には略長方形の切欠部３４が設けられており、切欠部３４に嵌込パネル３１が装着されている。嵌込パネル３１には、ルーバー状の通気孔３３及び一対の開口３２が設けられており、開口３２に電気配線などを通すことが可能となっている。
【００３０】
以下、図３に基き、台輪２の構成について説明する。台輪２は、主に背面板４１、右側面板４２、左側面板４３、前面中央板４４、前面板４５，４６、梁部材５３〜５６、横架材５１，５２から構成されている。台輪２の各部材は、いずれもパーティクルボード製であり略長方形板状を呈している。背面板４１の両端には右側面板４２及び左側面板４３が取着されており、背面板４１の前側の所定の位置に４本の梁部材５３〜５６が取着され、梁部材５３〜５６の前端部には前面中央板４４が取着されており、右側面板４２及び左側面板４３の間には梁部材５３〜５６に底面を支持された横架材５１，５２が架設されている。ここで、右側面板４２及び左側面板４３が、本発明の側面板に相当し、前面中央板４４及び前面板４５，４６を組み合わせたものが、本発明の前面板に相当し、背面板４１、右側面板４２、左側面板４３、前面中央板４４、及び前面板４５，４６を組み合わせたものが、本発明の外枠に相当する。
【００３１】
横架材５１，５２は、平面視長方形の間口方向に延びる細長い板材であり、長尺側の両端において右側面板４２及び左側面板４３に対して着設されている。横架材５１，５２は、上面及び底面が平滑であり、台輪の外枠を構成する背面板４１、右側面板４２、左側面板４３、前面中央板４４、及び前面板４５，４６の上面４７と同一の高さになる位置に着設されている。横架材５１，５２の前側及び後側の端面はいずれも平滑であり、一対の横架材５１，５２の向かい合う端面５１ａ，５２ａは平行になっている。また、梁部材５３〜５６は、前面中央板４４と背面板４１との間に奥行き方向に架設され、横架材５１，５２の底面に着設されており、横架材５１，５２に対して上から加えられた荷重は、梁部材５３〜５６によって受けられる。梁部材５３〜５６は長方形の板材であり、端面を上下に向けて板材を立てた向きで配設されている。横架材５１，５２の上に収納部３が配設され、横架材５１，５２に対して下向きの力が加えられたとき、梁部材５３〜５６は端面で荷重を受けるため、より大きな荷重に耐えることができる。横架材５１，５２は寝かせた向きに配設されているが、横架材５１，５２の中間部は梁部材５３〜５６の端面で支持されているので、横架材５１，５２のたわみの発生を抑制することができる。また、横架材５１，５２の底面５１ｂ，５２ｂ（図５（ａ）参照）と、設置室の床Ｆとの間には空間が残される。横架材５１は前縁が前面中央板４４に接しており、横架材５２は、背面板４１との間に隙間を設けて配設されている。ここで、設置室の床Ｆが、本発明の設置面に相当する。
【００３２】
右側面板４２の内側には、右側面板４２よりも高さ寸法の小さな補強材４８が取着されており、梁部材５３の右側には梁部材５３と同寸法の補強材５８が貼着されており、補強材４８，５８の前端部には夫々一片の面ファスナー９０が取着されている。前面板４５の背面側には、面ファスナー９０と対応する位置に対になる面ファスナー（図示しない）が取着されており、前面板４５は着脱自在に補強材４８，５８の前側に取着することができる。取着された状態で、前面板４５の前面は、前面中央板４４の前面と同一面状に揃う。前面板４６についても、前面板４５と同様に、梁部材５４の左側には補強材５０が貼着されており、左側面板４３の内側には補強材５７が貼着されており、補強材５０，５７の前端部と、前面板４６の背面とに備えられた面ファスナー（図示しない）によって着脱自在に取着される。前面板４５，４６が取着され台輪２の前面が閉鎖されると、台輪２は、平面視長方形の枠状を呈する。
【００３３】
また、梁部材５３〜５６は奥行方向に延びる向きに配設されているので、前面板４５，４６を取り外したときに、前方から台輪内の空間に容易に到達することができる。
【００３４】
台輪２には、右側面板４２及び補強材４８を貫通して台輪側面開口５９が穿設されており、台輪２の内部に配設された配管や配線を、台輪２の側面後部から外に引き出して壁付コンセント等に接続可能になっている。左側面板４３及び補強材５７にも同様に台輪側面開口５９が穿設されている。
【００３５】
以下、図４に基き、収納部３の構成について説明する。収納部３は、前記のように５個の収納ボックスから構成されている。中央部には機器用ボックス１１が配設され、その左右両脇に小収納ボックス１２，１３が配設され、さらにその左右両脇に大収納ボックス１４，１５が、間口方向に一列に並べて配設されている。ここで、機器用ボックス１１、小収納ボックス１２，１３、及び大収納ボックス１４，１５が、本発明の収納ボックスに相当する。
【００３６】
機器用ボックス１１、小収納ボックス１２，１３、及び大収納ボックス１４，１５は、いずれも台輪２を構成する各部材と同じ板厚のパーティクルボード製の板材からなる直方体の箱状を呈しており、高さ寸法が同一であるため、台輪２の上に並べた際にボックス天板１１ａ〜１５ａは水平位置で揃う。
【００３７】
また、機器用ボックス１１、小収納ボックス１２，１３、及び大収納ボックス１４，１５の各収納ボックスは奥行寸法においても同一であり、いずれも台輪２よりも大きく、設置時には台輪２の前縁及び後縁から夫々の収納ボックスが同じ突出量で突出するように配設され、各収納ボックスの前面および背面は同一面状に揃う。機器用ボックス１１、小収納ボックス１２，１３、及び大収納ボックス１４，１５の間口方向の寸法の和は、台輪２の間口方向の寸法よりも大きく、間口方向に並べて設置すると台輪２の左右に夫々大収納ボックス１４，１５の端部が突出する。各収納ボックスは、同一の高さ寸法と、同一の奥行寸法に形成されているが、間口方向の寸法は相違している。
【００３８】
各収納ボックスの底面には、前側ガイド用突出部８１〜８５及び後側ガイド用突出部７１〜７５が設けられている。前側ガイド用突出部８１〜８５及び後側ガイド用突出部７１〜７５は、いずれも収納ボックス及び台輪２の各部材と同じ板厚のパーティクルボード製の長方形の板材であり、長尺方向を間口方向に向け、ボックス底面６１〜６５に対して貼着されている。前側ガイド用突出部８１〜８５の奥行寸法は、台輪２の横架材５１，５２の隙間に嵌挿する寸法であり、前側ガイド用突出部８１〜８５は、該隙間に合致する位置に貼着されている。後側ガイド用突出部７１〜７５は、対応する前側ガイド用突出部８１〜８５と夫々同形であり、前側ガイド用突出部８１〜８５に対して、横架材５２の奥行寸法と略同寸法の隙間を設けて貼着されている。図４に示すように、各収納ボックスを、底面および背面を揃えるようにして間口方向に一列に並べると、前側ガイド用突出部８１〜８５と、後側ガイド用突出部７１〜７５とは互いに平行な二本の直線帯状に並ぶ。各収納ボックスが台輪２の上に配設される際に、前側ガイド用突出部８１〜８５は、横架材５１，５２の隙間に嵌挿され、横架材５２は前側ガイド用突出部８１〜８５及び後側ガイド用突出部７１〜７５の隙間に嵌挿される。横架材５１，５２と、前側ガイド用突出部８１〜８５及び後側ガイド用突出部７１〜７５とは同じ板厚であるため、夫々の底面は同一平面的に同じ高さで揃う。このとき、横架材５２と背面板４１との隙間よりも後側ガイド用突出部７１〜７５の奥行寸法は小さく、背面板４１と後側ガイド用突出部７１〜７５との間には隙間が残る。
【００３９】
各収納ボックスの前側ガイド用突出部８１〜８５及び後側ガイド用突出部７１〜７５は、大収納ボックス１４が所定の位置に位置決めされた際に側面板の内面に当接するように設けられている。すなわち、大収納ボックス１４が台輪２の左端より突出する突出量と左側面板４３の厚みとの和に相当する寸法だけ、大収納ボックス１４の左側面から内側にずれた位置に前側ガイド用突出部８４の左端部が位置している。
【００４０】
機器用ボックス１１は、内部にＤＶＤデッキやプリアンプ等の様々な機器を収納可能となっており、前面には上下に２段のガラス扉２０，２１を備えており、ガラス扉を閉じた状態で内部が視認可能となっている。ガラス扉２０，２１は扉の開放端側の所定箇所の押圧によって開放・閉鎖を交互に行うことが可能なプッシュラッチ式のロック機構を備えている（図示しない）。機器用ボックス１１の内部には、引出式のトレー（図示しない）が配設されており、トレーを奥行方向にスライドさせて機器を操作しやすい位置まで引き出して使用することができるようになっている。
【００４１】
小収納ボックス１２，１３及び大収納ボックス１４，１５は、いずれも木製の正面扉２２〜２５を備えており、正面扉２２〜２５を開くと、夫々内部には上下二段の引出しが備えられている（図６を参照）。すなわち、大収納ボックス１４には引出し９７，９８が備えられており、小収納ボックス１２には引出し８７，８８が備えられている（小収納ボックス１３及び大収納ボックス１５に関しては図示しない）。正面扉２２〜２５も、プッシュラッチ式のロック機構を備えている。
【００４２】
図４に示すように、大収納ボックス１５の側面には、電気配線等を通すことが可能な側面開口２６が穿設されている。機器用ボックス１１、小収納ボックス１２，１３、及び大収納ボックス１４の側面にも側面開口２６と同様の側面開口が穿設されており（図示しない）、組みつけられた際に隣接する側面開口の位置は合致する。また、機器用ボックス１１、小収納ボックス１２，１３、及び大収納収納ボックス１４，１５の底面には、夫々底面開口９１〜９５が穿設されている（図３参照）。機器用ボックス１１、小収納ボックス１２，１３、及び大収納ボックス１４，１５の内部に電気機器を設置した際には、電気機器に接続する各種の電気配線を側面開口２６及び底面開口９１〜９５を通して配設することが可能である。ここで、底面開口９１〜９５が、本発明の切欠孔に相当する。
【００４３】
以下、図５〜図７に基き、組立式キャビネット１の組立方法を説明する。図５（ａ），（ｂ）は、大収納ボックスの位置決め方法を説明する縦断面図であり、図６は、図５（ｂ）のＡ−Ａ間の位置における断面を示す断面図であり、図７（ａ）〜（ｄ）は、組立式キャビネット１の組立方法を模式的に説明する説明図である。
【００４４】
図５（ａ），（ｂ）に示すように、設置室の床Ｆの上に置かれた台輪２の上に、収納部３（図１参照）の左端に位置する大収納ボックス１４を載置する。載置箇所は台輪２の左端ではなく、やや中央寄りの位置とし、載置する際に前側ガイド用突出部８４が、横架材５１の端面５１ａと横架材５２の端面５２ａとの間に嵌挿されるように奥行方向の位置決めをして大収納ボックス１４を載置する。これにより、図５（ｂ）に示すように、大収納ボックス１４は、前側ガイド用突出部８４が横架材５１，５２の隙間に嵌挿され、底面６４が横架材５１，５２及び台輪２の上面４７に当接する。
【００４５】
台輪２上に載置された大収納ボックス１４は、図７（ａ）に示すように、左側へと間口方向に台輪２の上を摺動させられ、前側ガイド用突出部８４が左側面板４３の内面に当接させられて位置決めされる（図６参照）。このとき、大収納ボックス１４は、横架材５１，５２に沿ってガイドされ、前後方向にずれることなく直線的に間口方向に摺動する。ここで、上記の大収納ボックス１４の位置決めを行う工程が、本発明の基準ボックス位置決め工程に相当する。
【００４６】
大収納ボックス１４が位置決めされた後に、小収納ボックス１２を、前側ガイド用突出部８２が横架材５１，５２の隙間に嵌挿されるように奥行方向に位置決めし、同様に台輪上の空いている任意の位置に載置する。そして、大収納ボックス１４に当接するまで左に向けて間口方向に小収納ボックス１２を摺動させ、小収納ボックス１２の位置決めを行う（図７（ｂ）参照）。
【００４７】
同様の要領で、機器用ボックス１１及び小収納ボックス１３の位置決めをした後に、台輪上の空いている右端の部分に大収納ボックス１５を載置して位置決めする（図７（ｃ）参照）。ここで、上記の小収納ボックス１２，１３、機器用ボックス１１、大収納ボックス１５の位置決めを行う工程が、本発明の収納ボックス配置工程に相当する。
【００４８】
位置決めのなされた機器用ボックス１１、小収納ボックス１２，１３、及び大収納ボックス１４，１５を夫々に台輪２に対して木ネジで固定した後に、隣接する収納ボックス同士も収納ボックスの内部で木ネジで固定される。このとき、各収納ボックスに設けられたネジ穴は、内面側にのみ形成されており貫通していないため、木ネジが通されない限り外面側は平滑な面として美観を保つことができる。また、各収納ボックスは比較的柔らかい素材であるパーティクルボード製の部材で構成されているので、隣接する収納ボックス同士を木ネジで固定する際にネジ穴が厳密に揃っていなくても、木ネジを押し込んでいくと、板厚が薄くなっているネジ穴の部分に木ネジが貫通するので、ネジ穴同士を一致させて接合することができる。
【００４９】
図５（ｂ）に示すように、大収納ボックス１４の底面後部には底面開口９４が穿設されており、大収納ボックス１４を台輪２の上に設置した際に、横架材５２と背面板４１との隙間に底面開口９４が面し、大収納ボックス１４の内部と台輪２の内部とが連通する。
【００５０】
収納部３と台輪２とを固定した後に天板４を収納部３の上側に載置する。天板４には底面の四隅近傍に長円形のホゾ穴（図示しない）が設けられており、収納ボックスに適宜設けられたホゾ穴（図示しない）の内、全体の四隅近傍にあって天板４のホゾ穴と対応する位置にあるホゾ穴にホゾを挿入し、その後に天板４を載置すると、天板４のホゾ穴は長円形であるのでスムーズにホゾとホゾ穴とを合致させることができる。こうして天板４を位置決めして収納部３の上部を全体的に覆う位置に配設し、組立式キャビネット１を完成することができる。
【００５１】
このように、本実施形態の組立式キャビネット１によれば、機器用ボックス１１、小収納ボックス１２，１３、及び大収納ボックス１４，１５の夫々の底面に設けられた前側ガイド用突出部８１〜８５が、台輪２の内部に架設された一対の横架材５１，５２の隙間に嵌挿されるので各収納ボックスの前後方向の位置決めを容易にすることができる。さらに、各収納ボックスの間口方向の位置決めについては、前側ガイド用突出部８１〜８５が一対の横架材５１，５２の間に嵌挿されており、横架材の端面５１ａ，５２ａに沿って各収納ボックスが間口方向に摺動可能となる。これにより、台輪２の上に載置した各収納ボックスを所定の位置まで摺動させて位置決めすることができる。台輪上に最初に載置した大収納ボックス１４を、前側ガイド用突出部８４が台輪２の左側面板４３に当接するまで摺動させて位置決めした後に、残りの収納ボックスを配設する順に台輪上で摺動させ、先に位置決めした大収納ボックス１４に小収納ボックス１２を揃え、さらに順番に収納ボックスを載置して位置決めすることで、複数の収納ボックスを簡単かつ手早く正確な位置に配設することができ、組立式キャビネット１を容易に組み立てることが可能となる。
【００５２】
また、本実施形態の組立式キャビネット１によれば、右側面板４２及び左側面板４３の間に、梁部材５３〜５６によって底面を支持された横架材５１，５２が間口方向に架設されており、右側面板４２、左側面板４３、背面板４１、前面中央板４４及び横架材５１，５２等によって収納ボックスの重量を受けている。横架材５１，５２の底面５１ｂ，５２ｂは、中間部において４本の梁部材５３〜５６によって支えられており、収納ボックスの荷重による横架材５１，５２に反りなどの変形が発生する虞を抑制することができる。
【００５３】
また、台輪２の外寸よりも収納部３の奥行方向および間口方向の寸法が大きく、台輪２の外枠部分に収納部３が載っており、収納部３の荷重の多くを外枠部分で受けるため、横架材５１，５２に加わる荷重を軽減させ、変形の虞を抑制している。
【００５４】
さらに、本実施形態の組立式キャビネット１によれば、横架材５１，５２は構造材であるだけでなく、収納ボックスのための誘導レールとしての機能を兼ねるため、レール状の部材を設けずとも収納ボックスを間口方向に摺動可能とし、台輪の構成を簡素化することができる。また、梁部材５３〜５６は横架材５１，５２の下側にあって横架材５１，５２の底面に対して着設されており、前側ガイド用突出部８１〜８５及び後側ガイド用突出部７１〜７５は、板厚が横架材５１，５２と同じであって横架材の底面５１ｂ，５２ｂよりも下方に突出する虞がないので、収納ボックスを摺動させる際に梁部材５３〜５６と前側ガイド用突出部８１〜８５及び後側ガイド用突出部７１〜７５とが干渉する虞を抑制することができる。
【００５５】
また、本実施形態の組立式キャビネット１によれば、背面板４１と横架材５２との隙間及び底面開口９１〜９５を通して収納ボックスから台輪２の内部へと配線や配管を配設することができ、さらに、台輪２の前面板４５，４６を開放して台輪２内の配線や配管等の作業をすることができる。これにより、収納ボックス内に設置した機器類から台輪２を経由して電源やアンテナ等の外部の設備に対して配線または配管を行う作業を容易にすることができる。特に、組立式キャビネット１を設置した状態で前方から配線や配管に関する作業が可能であるので、機器類を設置する場合に台輪２ごと全体的に移動したり、収納ボックスを取り外したりする必要がなく、少人数で短時間に機器類の設置作業を行うことができる。
【００５６】
また、本実施形態の組立式キャビネット１によれば、横架材５１，５２の上面が台輪の上面４７と一致する高さに横架材５１，５２が架設されており、横架材５１，５２の底面５１ｂ，５２ｂと床Ｆとの間の空間を収容空間として利用可能である。機器用ボックス１１の中にＤＶＤデッキやプリアンプ等の電気機器を設置すると、電源ケーブルやアンテナ用等の各種の信号線を組立式キャビネット１の外部にある電源コンセントやアンテナから電気機器の設置位置まで取り回す必要があるが、本発明によれば、電源ケーブル等の電気配線を収納ボックスから底面開口９１〜９５を通して台輪２の中に引き込んで、台輪２の内部にこれらの電気配線を取り回し、台輪側面開口５９から外部に引き出すことができる。台輪２の内部の収容空間は、この他に配管を通すことも可能であるし、物入れとすることも可能である。
【００５７】
さらに、本実施形態の組立式キャビネット１の組立方法によれば、まず、最初に端に配設される大収納ボックス１４の前側ガイド用突出部８４が一対の横架材５１，５２の隙間に嵌挿され、大収納ボックス１４が台輪２の上に載置される。このとき、前側ガイド用突出部８４は一対の横架材５１，５２の隙間に嵌挿されるので、載置した時点で大収納ボックス１４の奥行方向の位置決めをすることができる。そして、大収納ボックス１４を配設予定である左端の所定の位置まで間口方向に摺動させて位置合わせを行う。すなわち、大収納ボックス１４が所定の位置に到達すると、前側ガイド用突出部８４が台輪２の左側面板４３の内面に当接して移動が制約される。すなわち、大収納ボックス１４が所定の位置に到達したところで前側ガイド用突出部８４が左側面板４３に当接してそれ以上動かなくなるので、大収納ボックス１４を簡単かつ正確に位置決めすることができる。
【００５８】
本実施形態の組立式キャビネット１の組立方法によれば、台輪上の左端に位置する大収納ボックス１４が位置決めされた後、まだ配設されていない収納ボックスは、順番に台輪２の上に載置され、先に位置決めされた大収納ボックス１４の側に向けて摺動させられ、左隣に位置する収納ボックスに当接させられて位置決めされる。これにより、収納ボックスを順番に台輪２の上に載置して摺動させてゆくだけで位置決めができるので、組立式キャビネット１を容易に組み立てることが可能となる。
【００５９】
また、本実施形態の組立式キャビネット１の組立方法によれば、収納ボックスを台輪２に固定する際には、夫々の収納ボックスの前側ガイド用突出部８１〜８５は横架材５１，５２の隙間に嵌挿されており、かつ夫々の収納ボックスは隣接する収納ボックス、右側面板４２、左側面板４３のいずれかに対して当接しているので、固定作業中に収納ボックスの位置や向きが不用意にずれてしまう虞を抑制することができる。
【００６０】
このように、本実施形態の組立式キャビネット１の組立方法によれば、収納ボックスを順に台輪２の上で摺動させて正確に位置決めし所定の位置に固定して組み上げるまでの工程を１〜２人の少人数でも容易に行うことができる。
【００６１】
また、本実施形態の組立式キャビネット１は、パーティクルボード製の部材は、全て同じ板厚であり、材料を共通化することでコストを低下させるとともに、部材の製造及び管理を容易化することができる。
【００６２】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００６３】
すなわち、上記の実施形態においては、収納ボックスを右から左に摺動させて位置決めするものを示したが、これに限定されるものではなく、左から右に摺動させるようにしてもよく、設置場所の壁面との位置関係など、周囲の条件に応じて作業しやすい方向に組み立てることができる。
【００６４】
また、上記の実施形態においては、台輪２の側面に台輪側面開口５９が設けられたものを示したが、これに限定されるものではなく、例えば背面に同様の開口が設けられたものであってもよい。背面側に配線や配管を出して壁付の電源コンセント等の設備に接続するようにすると、配線をさらにすっきりさせることができる。
【００６５】
また、上記の実施形態においては、５個の収納ボックスからなるものを示したが、収納ボックスの数は４個以下であってもよいし、６個以上であってもよい。
【００６６】
さらに、上記の実施形態においては、前面板４５，４６が着脱可能となっているものを示したが、台輪の前面板が全体的に着脱可能となっているものであってもよいし、前面板がヒンジやその他のジョイントを介して装着されていて、前面板を取り外しすることなく開閉可能となっているものであってもよい。これによれば、前面板を取り外しする必要がなく、より手軽に台輪の前面を開閉して台輪内の収容空間を利用することができる。
【００６７】
また、上記の実施形態においては、機器用ボックス１１等に電気機器を収容可能としたものを示したが、これに限定されるものではなく、例えば流し台を備えたカウンター状の組立式キャビネットであってもよい。流し台を備える場合には給排水の配管を収納ボックス及び台輪の中を通して配設することができる。
【００６８】
さらに、上記の実施形態においては、後側ガイド突出部７１〜７５を備えたものを示したが、これに限定されるものではなく、後側ガイド突出部７１〜７５を備えていないものであってもよい。後側ガイド突出部７１〜７５を備えていると、収納ボックスを単体で床面等に載置した場合にも安定して載置することができるし、組立時に摺動方向をより安定させることができる。一方、後側ガイド突出部７１〜７５を省略すれば、構成をさらに簡素化してコストダウンを図ることができる。
【００６９】
また、上記の実施形態においては、台輪２の上での収納ボックスの配設順序が限定されないため、収納ボックスの順番を変えて配置することも可能である。例えば、大収納ボックス１４、機器用ボックス１１、大収納ボックス１５、小収納ボックス１２，１３の配設順序で台輪２の上に並べてもよいし、他の配設順序としてもよい。
【００７０】
また、上記の実施形態においては、隣接する収納ボックス同士を木ネジで固定するものを示したが、これに限定されるものではなく、隣接する収納ボックス同士を他の方法で固定するものであってもよいし、固定しないものであってもよい。隣接する収納ボックス同士を固定しない構成にすると、設置後に収納ボックスの配設順序を変更した場合にもネジ穴が外観的に露出することを防ぐことができる。
【図面の簡単な説明】
【００７１】
【図１】本発明の一実施形態である組立式キャビネットを示す斜視図である。
【図２】組立式キャビネットの構成を示す分解斜視図である。
【図３】組立式キャビネットの台輪の構成を示す斜視図である。
【図４】組立式キャビネットの収納部の構成を右前下方から示す斜視図である。
【図５】大収納ボックスの位置決め方法を説明する断面図である。
【図６】図５のＡ−Ａ間を示す断面図である。
【図７】組立式キャビネットの組立方法を模式的に示す説明図である。
【図８】従来の台輪の構成を示す斜視図である。
【符号の説明】
【００７２】
Ｆ  床（設置面）
１  組立式キャビネット
２  台輪
３  収納部
１１  機器用ボックス（収納ボックス）
１２，１３  小収納ボックス（収納ボックス）
１４，１５  大収納ボックス（収納ボックス）
４１  背面板（外枠）
４２  右側面板（側面板、外枠）
４３  左側面板（側面板、外枠）
４４  前面中央板（前面板、外枠）
４５，４６  前面板（外枠）
４７  上面
５１，５２  横架材
５１ｂ，５２ｂ  底面
５３〜５６  梁部材
８１〜８５  前側ガイド用突出部（ガイド用突出部）
９１〜９５  底面開口（切欠孔）
【図１】
2010104610.tif 000003
【図２】
2010104610.tif 000004
【図３】
2010104610.tif 000005
【図４】
2010104610.tif 000006
【図５】
2010104610.tif 000007
【図６】
2010104610.tif 000008
【図７】
2010104610.tif 000009
【図８】
2010104610.tif 000010